(57)【特許請求の範囲】
【請求項１】
仲介連結部材と主鉄筋の端部とが基礎コンクリート中で連結される柱脚構造であって、  前記仲介連結部材に形成された中央開口部に鉄骨柱が挿入され、
前記鉄骨柱の外周部と前記仲介連結部材の中央開口部の内周面との間の空間にグラウト材が充填され、前記仲介連結部材と前記鉄骨柱とが前記グラウト材を介してのみ連結されている
ことを特徴とする柱脚構造。
【請求項２】
捨てコンクリートから基礎コンクリート上面までの高さと略同じ高さを有する型枠部材が前記空間の前記仲介連結部材側に設けられていることを特徴とする請求項１に記載の柱脚構造。
【請求項３】
前記型枠部材が、前記仲介連結部材を上下方向から挟み込む形態となるように設けられていることを特徴とする請求項２に記載の柱脚構造。
【請求項４】
前記型枠部材の外側に水平断面がＬ字状のＬ字部材が設置されていることを特徴とする請求項２または３に記載の柱脚構造。
【請求項５】
前記仲介連結部材に上下方向に貫通する掛止用孔が形成され、
前記主鉄筋の端部に設けた折り曲げ部が前記掛止用孔に挿し込まれることにより、前記主鉄筋の端部が前記仲介連結部材に掛止されるようにした
ことを特徴とする請求項１から請求項４のいずれかに記載の柱脚構造。
【請求項６】
仲介連結部材と主鉄筋の端部とが基礎コンクリート中で連結される柱脚構造の設置方法であって、
前記仲介連結部材に形成された中央開口部に空間を介して鉄骨柱が挿入されて施工される鉄骨柱の設置作業と、
前記仲介連結部材と主鉄筋の端部とが連結されて施工される配筋作業とを互いに個別に行なうことができるようにすると共に、
基礎コンクリート打設前あるいは後に、前記空間にグラウト材を充填して、前記仲介連結部材と前記鉄骨柱とが前記グラウト材を介してのみ連結されるようにした
ことを特徴とする柱脚構造の設置方法。
【請求項７】
基礎コンクリートの打設前に、前記空間の前記仲介連結部材側に、捨てコンクリートから基礎コンクリート上面までの高さと略同じ高さを有する型枠部材を設置するようにした
ことを特徴とする請求項６に記載の柱脚構造の設置方法。
【請求項８】
前記型枠部材の全部又は一部を、基礎コンクリートの打設・固化後、グラウト材充填前に除去することを特徴とする請求項７に記載の柱脚構造の設置方法。
【発明の詳細な説明】
【技術分野】
【０００１】
本発明は、建築構造物における基礎コンクリート中に埋め込まれた鉄骨柱の下端部と、基礎コンクリート中の主鉄筋との間の力の伝達が、仲介連結部材を介して行なわれる柱脚構造、及びその設置方法に関するものである。
【背景技術】
【０００２】
従来の柱脚構造としては、例えば、特許文献１に記載されたような、板状であって、その内側（中央側）に形成される開口部に建築構造物の鉄骨柱の下端部が嵌合して、その鉄骨柱の下端部に固定される仲介連結部材を備えており、この仲介連結部材に主鉄筋が連結されることにより、この仲介連結部材を介して、鉄骨柱の下端部に主鉄筋が連結されるようになっている柱脚構造があった。
【特許文献１】特許第４０３３３４０号公報
【発明の開示】
【発明が解決しようとする課題】
【０００３】
しかしながら、上記従来の柱脚構造においては、その鉄骨柱の下端部と基礎コンクリート中の主鉄筋とが、仲介連結部材を介して連結され、鉄骨柱の下端部と仲介連結部材との間が溶接により固定される構造になっていた。このため、鉄骨柱の下端部と仲介連結部材との間の溶接による固定作業が、熟練を要する等のため容易ではないという問題があった。
【０００４】
また、上記従来の柱脚構造においては、鉄骨柱及び仲介連結部材を設置した後でなければ、主鉄筋等の配筋作業、及びその後の基礎コンクリートの打設作業を行なうことができないので、作業手順における自由度が低くなっていた。このことにより、柱脚構造の施工効率が低下して、工期が長期化するおそれがあるという問題があった。
【０００５】
そこで本発明は、上記問題点に鑑みて、その設置作業を容易にすることができると共に、その作業手順の自由度を高くして施工効率を向上させることができる柱脚構造及びその設置方法を提供することを課題とするものである。
【課題を解決するための手段】
【０００６】
上記課題を解決するために、本発明による柱脚構造は、
仲介連結部材と主鉄筋の端部とが基礎コンクリート中で連結される柱脚構造であって、  前記仲介連結部材に形成された中央開口部に鉄骨柱が挿入され、
前記鉄骨柱の外周部と前記仲介連結部材の中央開口部の内周面との間の空間にグラウト材が充填され、前記仲介連結部材と前記鉄骨柱とが前記グラウト材を介してのみ連結されていることを特徴とするものである。
【０００７】
また、本発明による柱脚構造は、
捨てコンクリートから基礎コンクリート上面までの高さと略同じ高さを有する型枠部材が前記空間の前記仲介連結部材側に設けられていることを特徴とするものである。
【０００８】
また、本発明による柱脚構造は、
前記型枠部材が、前記仲介連結部材を上下方向から挟み込む形態となるように設けられていることを特徴とするものである。
【０００９】
また、本発明による柱脚構造は、
前記型枠部材の外側に水平断面がＬ字状のＬ字部材が設置されていることを特徴とするものである。
【００１０】
また、本発明による柱脚構造は、
前記仲介連結部材に上下方向に貫通する掛止用孔が形成され、
前記主鉄筋の端部に設けた折り曲げ部が前記掛止用孔に挿し込まれることにより、前記主鉄筋の端部が前記仲介連結部材に掛止されるようにしたことを特徴とするものである。
【００１１】
また、上記課題を解決するために本発明は、
仲介連結部材と主鉄筋の端部とが基礎コンクリート中で連結される柱脚構造の設置方法であって、
前記仲介連結部材に形成された中央開口部に空間を介して鉄骨柱が挿入されて施工される鉄骨柱の設置作業と、
前記仲介連結部材と主鉄筋の端部とが連結されて施工される配筋作業とを互いに個別に行なうことができるようにすると共に、
基礎コンクリート打設前あるいは後に、前記空間にグラウト材を充填して、前記仲介連結部材と前記鉄骨柱とが前記グラウト材を介してのみ連結されるようにしたことを特徴とするものである。
【００１２】
また、本発明による柱脚構造の設置方法は、
基礎コンクリートの打設前に、前記空間の前記仲介連結部材側に、捨てコンクリートから基礎コンクリート上面までの高さと略同じ高さを有する型枠部材を設置するようにしたことを特徴とするものである。
【００１３】
また、本発明による柱脚構造の設置方法は、
前記型枠部材の全部又は一部を、基礎コンクリートの打設・固化後、グラウト材充填前に除去することを特徴とするものである。
【発明の効果】
【００１４】
このような本発明の柱脚構造によれば、
仲介連結部材と主鉄筋の端部とが基礎コンクリート中で連結される柱脚構造であって、
前記仲介連結部材に形成された中央開口部に鉄骨柱が挿入され、
前記鉄骨柱の外周部と前記仲介連結部材の中央開口部の内周面との間の空間にグラウト材が充填されていることにより、
柱脚構造の設置作業を容易にすることができると共に、その作業手順の自由度を高くして施工効率を向上させることができる。
【００１５】
また、本発明の柱脚構造によれば、
捨てコンクリートから基礎コンクリート上面までの高さと略同じ高さを有する型枠部材が前記空間の前記仲介連結部材側に設けられていることにより、
柱脚構造の設置作業を容易にすることができると共に、その作業手順の自由度をさらに高くして施工効率を向上させることができる。
【００１６】
また、本発明の柱脚構造によれば、
前記型枠部材が、前記仲介連結部材を上下方向から挟み込む形態となるように設けられていることにより、
上記型枠部材を小型化してその搬送作業等を容易にすることができる。
【００１７】
また、本発明の柱脚構造によれば、
前記型枠部材の外側に水平断面がＬ字状のＬ字部材が設置されていることにより、
上記型枠部材の設置作業等を確実にすることができる。
【００１８】
また、本発明の柱脚構造によれば、
前記仲介連結部材に上下方向に貫通する掛止用孔が形成され、
前記主鉄筋の端部に設けた折り曲げ部が前記掛止用孔に挿し込まれることにより、前記主鉄筋の端部が前記仲介連結部材に掛止されるようにしたことにより、
前記仲介連結部材と前記主鉄筋の端部との連結を容易にすることができる。
【００１９】
また、本発明の柱脚構造の設置方法によれば、
仲介連結部材と主鉄筋の端部とが基礎コンクリート中で連結される柱脚構造の設置方法であって、
前記仲介連結部材に形成された中央開口部に空間を介して鉄骨柱が挿入されて施工される
鉄骨柱の設置作業と、
前記仲介連結部材と主鉄筋の端部とが連結されて施工される配筋作業とを互いに個別に行なうことができるようにしたことにより、
柱脚構造の設置作業を容易にすることができると共に、その作業手順の自由度を高くして施工効率を向上させることができる。
【００２０】
また、本発明の柱脚構造の設置方法によれば、
基礎コンクリートの打設前に、前記空間の前記仲介連結部材側に、捨てコンクリートから基礎コンクリート上面までの高さと略同じ高さを有する型枠部材を設置し、
基礎コンクリート打設前あるいは後に、前記鉄骨柱と前記型枠部材との間の空間にグラウト材を充填するようにしたことにより、
柱脚構造の設置作業を容易にすることができると共に、その作業手順の自由度をさらに高くして施工効率を向上させることができる。
【００２１】
また、本発明の柱脚構造の設置方法によれば、
前記型枠部材の全部又は一部を、基礎コンクリートの打設・固化後、グラウト材充填前に除去することにより、
型枠部材を再利用することができ、また、施行後において基礎コンクリートとグラウト材の継ぎ目を目立たなくすることができる。
また、基礎コンクリート打設後に型枠部材を取り外した場合、型枠部材が取り外された基礎コンクリート表面には凹凸が発生するが、このような凹凸ができることによって、鉛直方向の力の伝達がよくなるという利点がある。
【発明を実施するための最良の形態】
【００２２】
以下、本発明に係る柱脚構造及びその設置方法を実施するための最良の形態について、図面に基づいて具体的に説明する。
図１及び図２は、本発明の第１の実施の形態に係る柱脚構造２について説明するために参照する図である。
【００２３】
本実施の形態に係る柱脚構造２は、図１及び図２に示すように、互いに上下方向に離れて基礎コンクリート６中に配置される、２つの枠形状（無端状）の仲介連結部材８を備えている。これらの上下２つの仲介連結部材８のそれぞれは、基礎コンクリート６中に埋め込まれた鉄骨柱４の下端部４ａと、基礎コンクリート６中の主鉄筋１０との間で、後述するように、力を伝達することができるようになっている。
【００２４】
基礎コンクリート６中には、鉄骨柱４の下端部４ａの同図中左右両側のそれぞれに、上方と下方に分かれて４本ずつ、計８本の主鉄筋１０が配置されている。この上方及び下方のそれぞれの４本の主鉄筋１０は、互いに平行に（水平方向に互いに等間隔に）並んで配置されている。
【００２５】
この計８本の主鉄筋１０のそれぞれは、その端部１０ａの外周におねじが形成されており、仲介連結部材８の後述するめねじ８ｂとねじ締結するようになっている。
【００２６】
また、この計８本の主鉄筋１０のそれぞれには、この計８本の主鉄筋１０と直交する方向にその外側から、主鉄筋１０を矩形無端状に囲むように配筋されたあばら筋１２（せん断補強筋）がくくりつけられている。このようなあばら筋１２により、計８本の主鉄筋１０のそれぞれは、相互の位置関係が固定されるようになっている。
【００２７】
なお、柱脚構造２の設置作業の際には、あばら筋１２は、主鉄筋１０のそれぞれの端部１０ａが仲介連結部材８に連結された後の段階において配筋される。また、あばら筋１２により相互の位置関係が固定された８本の主鉄筋１０は、基礎コンクリート６の打設前においては、その下段の４本が、捨てコンクリート１４上に載置された不図示のブロック等の上に載置されていることにより、この８本の主鉄筋１０全部が所定の高さに配置されるようになっている。この８本の主鉄筋１０は、このように高さ設定された状態で、打設される基礎コンクリート６中に埋め込まれる。
【００２８】
次に、仲介連結部材８には、その枠形状の内側に、鉄骨柱４の下端部４ａが貫通する略四角形の開口部８ａが形成されている。この開口部８ａは、図１に示すように、鉄骨柱４の下端部４ａが周囲の空間を介して貫通するように、この鉄骨柱４の下端部４ａの断面形状、並びに、この鉄骨柱４の下端部４ａの先端部に溶着されているベースプレート１１の平面形状よりも大きい大きさで開口するように形成されている。
【００２９】
柱脚構造２は、図１及び図２に示すように、鉄骨柱４の下端部４ａの外周面と、仲介連結部材８の開口部８ａの内周面との間の空間に、鉄骨柱４の下端部４ａや仲介連結部材８の周囲に打設される基礎コンクリート６と一体的に固化する、基礎コンクリート６の一部が充填されて、鉄骨柱４の下端部４ａと主鉄筋１０との間で力を伝達することができるようになっている。
【００３０】
ここで、基礎コンクリート６のうち、鉄骨柱４の下端部４ａの外周面と、仲介連結部材８の開口部８ａの内周面との間の空間に充填される部分は、グラウト材として用いられているので、かかる部分をグラウト材と呼ぶものとする。グラウト材とは、一般に、建設工事において空洞、空隙、隙間などの空間を埋めるために注入する流動体のことをいう。
【００３１】
また、仲介連結部材８の図中左右方向の両端部には、複数のめねじ８ｂが形成されている。この仲介連結部材８の複数のめねじ８ｂのそれぞれには、おねじが加工された主鉄筋１０の端部１０ａがネジ結合している。
【００３２】
このような柱脚構造２は、その鉄骨柱４に仲介連結部材８を溶接により直接固定しなくても良いので、その設置作業の際における基礎コンクリート６の打設前の段階において、主鉄筋１０と仲介連結部材８との間の連結作業、及び、主鉄筋１０を含めあばら筋１２等の配筋作業等とは独自に、鉄骨柱４の設置作業を施工することができるようになっている。
【００３３】
すなわち、柱脚構造２は、その設置作業の際に、主鉄筋１０と仲介連結部材８との間の連結作業、及び主鉄筋１０やあばら筋１２等の配筋作業等の施工前、施工中、又は施工後のいずれの場合においても、鉄骨柱４の設置作業は独自に施工することができるようになっている。
【００３４】
このような本実施の形態に係る柱脚構造２及びその設置方法によれば、その鉄骨柱４と仲介連結部材８とを溶接により直接固定しなくても良いので、この柱脚構造２の設置作業を容易にすることができる。
【００３５】
また、本実施の形態に係る柱脚構造２及びその設置方法によれば、この柱脚構造２の設置作業の際における基礎コンクリート６の打設前の段階において、主鉄筋１０と仲介連結部材８との間の連結作業、及び主鉄筋１０やあばら筋１２等の配筋作業等と、鉄骨柱４の設置作業とを互いに独自に施工することができるので、作業手順の自由度を高くして施工効率を向上させることができ、工期が長期化するのを防止することができる。
【００３６】
また、本実施の形態に係る柱脚構造２及びその設置方法によれば、その鉄骨柱４と仲介連結部材８との間の力の伝達は、この鉄骨柱４の下端部４ａの外周面と、仲介連結部材８の開口部８ａの内周面との間に充填されたグラウト材（基礎コンクリート６）を介して行なわれるので、鉄骨柱４と仲介連結部材８との間の力の伝達強度が低下することも防止することができる。
【００３７】
次に、図３及び図４は、本発明の第２の実施の形態に係る柱脚構造２０及びその設置方法について説明するために参照する図である。前記第１の実施の形態に係る柱脚構造２と同様の部分には同じ符号を用いて説明し、同様の構成についての重複する説明は省略するものとする。
【００３８】
本実施の形態に係る柱脚構造２０は、図３に示すように、その上下２つの仲介連結部材８のそれぞれの開口部８ａの内側の寸法が、前記第１の実施の形態に係る柱脚構造２の開口部８ａの内側の寸法よりも、若干大きめに形成されている。
【００３９】
また、柱脚構造２０は、図３及び図４に示すように、この上下に配置された２つの仲介連結部材８の開口部８ａの両方を貫通し、捨てコンクリート１４上に載置される角筒状の型枠部材２２を備えている。この型枠部材２２は、４枚の鋼板材を溶接で互いに接合することにより形成したものである。
【００４０】
この型枠部材２２は、基礎コンクリート６の打設前であって、かつ、その設置が妨げられないように、鉄骨柱４の設置前に設置される。また、型枠部材２２は、その高さが、基礎コンクリート６の深さよりも多少高く設定されて形成されている。
【００４１】
また、この型枠部材２２は、その高さ方向（図４中、上下方向）に直角の水平断面の外周の寸法が、仲介連結部材８の開口部８ａに嵌合可能な大きさに設定されている。これにより、型枠部材２２は、仲介連結部材８の開口部８ａよりも型枠部材２２の板厚分小さい範囲の水平領域を基礎コンクリート６の深さ全体にわたって囲むようになっている。
【００４２】
鉄骨柱４は、その下端部４ａ及びそのベースプレート１１が型枠部材２２の内側に配置されるよう設置されている。また、型枠部材２２には、鉄骨柱４を囲むように前記グラウト材２４が充填されている。このグラウト材２４は、型枠部材２２の外側（鉄骨柱４と反対側）に打設される基礎コンクリート６と同じ成分のコンクリートであっても良いし、或いは、基礎コンクリート６と異なる成分のコンクリートや合成樹脂等であってもよい。
【００４３】
柱脚構造２０は、その鉄骨柱４の配置作業、及び型枠部材２２の内側のグラウト材２４の充填作業を、主鉄筋１０と仲介連結部材８との間の連結作業、及び主鉄筋１０やあばら筋１２等の配筋作業、並びに、基礎コンクリート６の充填作業とは独自に施工することができるようになっている。
【００４４】
このような本実施の形態に係る柱脚構造２０及びその設置方法によれば、前記第１の実施の形態と同様に、その鉄骨柱４に仲介連結部材８を溶接により直接固定しなくても良いので、柱脚構造２０の設置作業を容易にすることができる。
【００４５】
また、本実施の形態に係る柱脚構造２０及びその設置方法によれば、前記第１の実施の形態と同様に、この柱脚構造２０の設置作業の際における基礎コンクリート６の打設前の段階において、主鉄筋１０と仲介連結部材８との間の連結作業、及び主鉄筋１０やあばら筋１２等の配筋作業等と、鉄骨柱４の設置作業とを互いに独自に施工することができるので、作業手順の自由度を高くして施工効率を向上させることができ、工期が長期化するのを防止することができる。
【００４６】
また、本実施の形態に係る柱脚構造２０及びその設置方法によれば、この柱脚構造２０の設置作業の際に、基礎コンクリート６の打設作業と、鉄骨柱４の設置作業とを別個に進行させることができるようになるので、さらに作業手順の自由度を高くして、施工効率を向上させることができて工期が長期化するのを防止することができる。
【００４７】
次に、図５及び図６は、本発明の第３の実施の形態に係る柱脚構造３０及びその設置方法について説明するために参照する図である。前記第２の実施の形態に係る柱脚構造２０と同様の部分には同じ符号を用いて説明し、同様の構成についての重複する説明は省略するものとする。
【００４８】
本実施の形態に係る柱脚構造３０は、前記第２の実施の形態に係る柱脚構造２０の型枠部材２２と異なる型枠部材３２を備えている。前記第２の実施の形態に係る型枠部材２２は、基礎コンクリート６の打設深さ全体にわたり一体的に形成されていたのに対し、本実施の形態に係る柱脚構造３０の型枠部材３２は、上下に配置される２つの仲介連結部材８により上下方向に区切られ、３つの型枠部材３２ａ，３２ｂ，３２ｃに分割されている点で異なっている。
【００４９】
また、３つの型枠部材３２ａ，３２ｂ，３２ｃのそれぞれは、仲介連結部材８の開口部８ａが囲むその内側の水平領域とほぼ同じ範囲の水平領域を囲むように形成されているが、これらの型枠部材３２ａ，３２ｂ，３２ｃのそれぞれが囲む水平領域の大きさの方が、仲介連結部材８の開口部８ａが囲む水平領域の大きさよりも、若干だけ大きくなるように形成されている。このため、型枠部材３２ａ，３２ｂ，３２ｃのそれぞれの上下端面が水平方向に多少ずれても、それぞれの上下端面の水平方向の全面を確実に仲介連結部材８に接触させることができて、確実に固定することができる。
【００５０】
型枠部材３２ａ，３２ｂ，３２ｃのそれぞれは、基礎コンクリート６の打設前の段階において、２つの仲介連結部材８のいずれか一方又は両方に、溶接により固定した状態で設置されるようになっている。
【００５１】
このような本実施の形態に係る柱脚構造３０及びその設置方法によれば、前記第２の実施の形態と同様に、この柱脚構造３０の設置作業を容易にすることができると共に、その設置作業の手順の自由度を高くして施工効率を向上させることができる。
【００５２】
また、本実施の形態に係る柱脚構造３０及びその設置方法によれば、その型枠部材３２が、３つの型枠部材３２ａ，３２ｂ，３２ｃに分割されていることにより、それぞれが小型化されているので、この型枠部材３２ａ，３２ｂ，３２ｃの搬送作業等を容易にすることができる。
【００５３】
また、本実施の形態に係る柱脚構造３０及びその設置方法によれば、３つの型枠部材３２ａ，３２ｂ，３２ｃのそれぞれが囲む、それぞれの内側の水平領域の大きさが、仲介連結部材８の開口部８ａが囲むその内側の水平領域よりも若干だけ大きい大きさとなるように形成されていることにより、型枠部材３２の内部のグラウト材２４の外周が段形状を有するように固化するので、鉄骨柱４に上下方向の荷重が加わったときにおける、この上下方向の荷重の仲介連結部材８への伝達効率を向上させることができる。
【００５４】
次に、図７及び図８は、本発明の第４の実施の形態に係る柱脚構造４０及びその設置方法について説明するために参照する図である。前記第３の実施の形態に係る柱脚構造３０と同様の部分には同じ符号を用いて説明し、同様の構成についての重複する説明は省略するものとする。
【００５５】
本実施の形態に係る柱脚構造４０は、図７及び図８に示すように、その上方の仲介連結部材８の上面上における開口部８ａの四隅部のそれぞれの外側の近傍部分であって、型枠部材３２ａの外側に、型枠部材３２ａの高さとほぼ同じ長さを有する４本の、水平断面が略Ｌ字状のＬ字部材４２ａが配置され、それらの下端部が仲介連結部材８の上面上に溶接により固定されている。
【００５６】
また、Ｌ字部材４２ａのそれぞれは、図７に示すように、その水平断面形状の、「Ｌ」字状の縦棒と横棒のそれぞれの伸びる方向が、対応する開口部８ａの各隅部を形成する２辺のそれぞれが伸びる方向と平行になるように配置されている。
【００５７】
また、図８に示すように、下方の仲介連結部材８には、その下面側に、上方の仲介連結部材８上に設けたＬ字部材４２ａと同様の、４本のＬ字部材４２ｃが設けられている。この４本のＬ字部材４２ｃは、型枠部材３２ｃの高さとほぼ同じ長さを有している。
【００５８】
また、上下に配置された２つの仲介連結部材８同士の間には、これら２つの仲介連結部材８の互いの対向面のそれぞれにおける、開口部８ａの四隅部のそれぞれの外側の近傍部分同士を連結する、４本の、断面がＬ字部材４２ａ，４２ｃと同様のＬ字部材４２ｂが設けられている。この４本のＬ字部材４２ｂは、型枠部材３２ｂの高さとほぼ同じ長さを有している。
【００５９】
このような本実施の形態に係る柱脚構造４０及びその設置方法によれば、前記実施の形態と同様に、この柱脚構造４０の設置作業を容易にすることができると共に、その設置作業の手順の自由度を高くして施工効率を向上させることができる。
【００６０】
また、本実施の形態に係る柱脚構造４０及びその設置方法によれば、前記第３の実施の形態と同様に、その型枠部材３２が、３つの型枠部材３２ａ，３２ｂ，３２ｃに分割されていることにより、その搬送作業等を容易にすることができると共に、その鉄骨柱４に上下方向の荷重が加わったときにおける、この上下方向の荷重の仲介連結部材８への伝達効率を向上させることができる。
【００６１】
また、本実施の形態に係る柱脚構造４０及びその設置方法によれば、４つずつの、３組のＬ字部材４２ａ，４２ｂ，４２ｃが設けられていることにより、型枠部材３２ａ，３２ｂ，３２ｃが仲介連結部材８に直接固定されていなくても、型枠部材３２ａ，３２ｂ，３２ｃと仲介連結部材８との間の水平方向の相対位置が、基礎コンクリート６の打設作業中などにおいてずれてしまうことを防止することができる。
【００６２】
このため、本実施の形態に係る柱脚構造４０及びその設置方法によれば、型枠部材３２ａ，３２ｂ，３２ｃを仲介連結部材８に直接固定せずに済むので、型枠部材３２ａ，３２ｂ，３２ｃの設置作業等を容易にすることができる。
【００６３】
また、本実施の形態に係る柱脚構造４０及びその設置方法によれば、型枠部材３２ａ，３２ｂ，３２ｃのそれぞれを構成する４枚の平板部材の内側同士が、互いに溶接により固定されていても良いし、或いは、この４枚の平板部材同士が互いに固定されずに、例えば、この４枚の平板部材のそれぞれがＬ字部材４２ａ，４２ｂ，４２ｃに固定されるようになっていても良いので、施工現場の作業員の判断により、効率の良い作業手順を選択することができる。このため、型枠部材３２ａ，３２ｂ，３２ｃの設置作業等を容易にすることができる。
【００６４】
次に、図９及び図１０は、本発明の第５の実施の形態に係る柱脚構造５０及びその設置方法について説明するために参照する図である。前記第１の実施の形態に係る柱脚構造２と同様の部分には同じ符号を用いて説明し、同様の構成についての重複する説明は省略するものとする。
【００６５】
本実施の形態に係る柱脚構造５０は、図９及び図１０に示すように、前記第１の実施の形態に係る柱脚構造２における仲介連結部材８とは異なる仲介連結部材５２を備えている。また、本実施の形態に係る柱脚構造５０においては、前記第１の実施の形態に係る柱脚構造２における主鉄筋１０とは異なる主鉄筋５４が用いられている。
【００６６】
前記第１の実施の形態に係る柱脚構造２における仲介連結部材８には、めねじ８ｂが形成されていたが、本実施の形態に係る柱脚構造５０の仲介連結部材５２には、このようなめねじ８ｂの代わりに、その開口部５２ａより外側の部分に、上下方向に貫通する複数の掛止用孔５２ｂが形成されている。この掛止用孔５２ｂのそれぞれには、主鉄筋５４のそれぞれの端部を下方に折り曲げて形成した折り曲げ部５４ａが、上方から挿し込まれて掛止されている。
【００６７】
このような本実施の形態に係る柱脚構造５０及びその設置方法によれば、前記第１の実施の形態と同様の効果の他に、その仲介連結部材５２の掛止用孔５２ｂに対して主鉄筋５４の折り曲げ部５４ａを上方から挿し込むだけで、この主鉄筋５４を掛止用孔５２ｂに掛止することができるので、仲介連結部材５２と主鉄筋５４との連結作業を容易にすることができる。
【００６８】
なお、前記第２の実施の形態に係る柱脚構造２０においては、型枠部材２２に鋼板材を用いていたが、このように鋼板材に限定する必要は無く、型枠部材２２は木製等の他の材料により形成したものであってもよい。
【００６９】
また、前記第２の実施の形態に係る柱脚構造２０においては、型枠部材２２を基礎コンクリート６とグラウト材２４との間に残すようになっていたが、基礎コンクリート６の打設後で、グラウト材２４の充填前に、型枠部材２２を取り外すようにしてもよい。
【００７０】
このように型枠部材２２を取り外すようにした場合には、枠部材２２を再利用することができ、また、柱脚構造２０の設置後において、基礎コンクリート６とグラウト材２４との境目を目立たなくすることができる。また、型枠部材２２が木製の場合には、基礎コンクリート６の打設後で、グラウト材２４の充填前には、型枠部材２２は必ず取り外す必要がある。
【００７１】
また、前記第３及び第４の実施の形態に係る柱脚構造３０，４０においても、型枠部材３２ａを基礎コンクリート６とグラウト材２４との間に残すようになっていたが、基礎コンクリート６の打設後で、グラウト材２４の充填前にそれを取り外すようにしてもよい。
【００７２】
また、前記第１、第２、第３及び第４の実施の形態に係る柱脚構造２，２０，３０，４０においては、主鉄筋１０の端部１０ａにおねじを形成し、これを仲介連結部材８のめねじ８ｂにねじ締結することにより連結するようになっていたが、主鉄筋１０の端部１０ａは、溶接等の他の手段、或は前記第５の実施の形態のような他の手段等の、どのような手段により仲介連結部材８に連結するようになっていてもよい。
【００７３】
また、前記第２の実施の形態に係る柱脚構造２０においては、型枠部材３２ａの外側に、型枠部材３２ａの高さとほぼ同じ長さを有する４本の、水平断面が略Ｌ字状のＬ字部材４２ａが用いられていたが、前記第２、第３の実施の形態のように型枠部材２２が用いられている場合には、それらの第２、第３の実施の形態においても上記Ｌ字部材を設置することが可能である。
【図面の簡単な説明】
【００７４】
【図１】本発明の第１の実施の形態に係る柱脚構造２を示す上面図である。
【図２】本発明の第１の実施の形態に係る柱脚構造２を示す側面断面図である。
【図３】本発明の第２の実施の形態に係る柱脚構造２０を示す上面図である。
【図４】本発明の第２の実施の形態に係る柱脚構造２０を示す側面断面図である。
【図５】本発明の第３の実施の形態に係る柱脚構造３０を示す上面図である。
【図６】本発明の第３の実施の形態に係る柱脚構造３０を示す側面断面図である。
【図７】本発明の第４の実施の形態に係る柱脚構造４０を示す上面図である。
【図８】本発明の第４の実施の形態に係る柱脚構造４０を示す側面断面図である。
【図９】本発明の第５の実施の形態に係る柱脚構造５０を示す上面図である。
【図１０】本発明の第５の実施の形態に係る柱脚構造５０を示す側面断面図である。
【符号の説明】
【００７５】
２  柱脚構造
４  鉄骨柱
４ａ  下端部
６  基礎コンクリート
８  仲介連結部材
８ａ  開口部
８ｂ  雌ネジ
１０  主鉄筋
１１  ベースプレート
１２  あばら筋
１４  捨てコンクリート
２０  柱脚構造
２２  枠部材
２４  グラウト材
３０  柱脚構造
３２，３２ａ，３２ｂ，３２ｃ  枠部材
４０  柱脚構造
４２ａ，４２ｂ，４２ｃ  Ｌ型鋼
５０  柱脚構造
５２  仲介連結部材
５２ａ  開口部
５２ｂ  掛止用孔
５４  主鉄筋
５４ａ  折り曲げ部
【図１】
0005128345.tif 000002
【図２】
0005128345.tif 000003
【図３】
0005128345.tif 000004
【図４】
0005128345.tif 000005
【図５】
0005128345.tif 000006
【図６】
0005128345.tif 000007
【図７】
0005128345.tif 000008
【図８】
0005128345.tif 000009
【図９】
0005128345.tif 000010
【図１０】
0005128345.tif 000011